(57)【要約】  複数の太陽電池モジュールを固定部材に取り付けることにより、太陽電池アレイを形成する工程と、太陽電池アレイをサポートアームに取り付ける工程とを備えた、太陽光発電装置の製造方法。
2019220992.tif 000002
【特許請求の範囲】
【請求項１】
複数の太陽電池モジュールを長手方向に延在する固定部材に取り付けることにより、太陽電池アレイを形成する工程と、
前記太陽電池アレイをサポートアームに取り付ける工程とを備えた、太陽光発電装置の製造方法。
【請求項２】
前記太陽電池アレイを形成する工程は、前記複数の太陽電池モジュールの各々の底面を上方に向けて配置する工程と、前記底面に前記固定部材を配置する工程とを含む、請求項１に記載の太陽光発電装置の製造方法。
【請求項３】
前記複数の太陽電池モジュールの各々の底面を上方に向けて配置する工程においては、前記複数の太陽電池モジュールの各々が作業台に載置される、請求項２に記載の太陽光発電装置の製造方法。
【請求項４】
前記作業台は、平面状の載置面を有し、
前記複数の太陽電池モジュールの各々は、前記底面と反対側の上面を有し、
前記上面は、前記載置面に接する、請求項３に記載の太陽光発電装置の製造方法。
【請求項５】
前記固定部材に治具を取り付ける工程と、
前記太陽電池アレイを前記治具とともに反転させる工程と、
前記治具の挿通孔にリフターのシャフトを挿通する工程とをさらに備え、
前記太陽電池アレイを前記治具とともに反転させる工程においては、前記シャフトを回転軸として前記太陽電池モジュールを反転させる、請求項１〜請求項４のいずれか１項に記載の太陽光発電装置の製造方法。
【請求項６】
前記リフターを用いて前記太陽電池アレイを支持した状態で、前記太陽電池アレイを搬送する工程をさらに備えた、請求項５に記載の太陽光発電装置の製造方法。
【請求項７】
前記リフターを用いて前記太陽電池アレイを支持した状態で、前記太陽電池アレイの高さを調整する工程をさらに備えた、請求項５または請求項６に記載の太陽光発電装置の製造方法。
【請求項８】
前記太陽電池アレイの高さを調整する工程は、前記太陽電池アレイを搬送する工程の前に行われる、請求項７に記載の太陽光発電装置の製造方法。
【請求項９】
前記太陽電池アレイを搬送する工程における前記太陽電池アレイの高さは、前記太陽電池アレイを反転させる工程における前記太陽電池アレイの高さよりも低い、請求項８に記載の太陽光発電装置の製造方法。
【請求項１０】
前記固定部材の断面形状は、Ｚ型である、請求項１〜請求項９のいずれか１項に記載の太陽光発電装置の製造方法。
【請求項１１】
長手方向に延在する一対の固定部材を有する太陽電池アレイを保持するための太陽光発電装置の製造治具であって、
前記一対の固定部材が取り付けられる一対の取付け部と、
前記一対の取付け部の間に設けられた中央領域とを備え、
前記中央領域には、挿通孔が設けられている、太陽光発電装置の製造治具。
【請求項１２】
前記中央領域の厚みは、前記一対の取付け部の各々の厚みよりも大きい、請求項１１に記載の太陽光発電装置の製造治具。
【請求項１３】
前記一対の取付け部の各々は、前記一対の固定部材に接する第１面と、前記第１面と反対側の第２面とを含み、
前記第２面には、前記中央領域に連なる突出部が設けられている、請求項１１または請求項１２に記載の太陽光発電装置の製造治具。
【請求項１４】
請求項１１〜請求項１３のいずれか１項に記載の太陽光発電装置の製造治具と、
前記挿通孔に挿通可能なシャフトを有するリフターとを備え、
前記リフターは、タイヤを有する、太陽光発電装置の製造装置。
【発明の詳細な説明】
【技術分野】
【０００１】
本開示は、太陽光発電装置の製造方法、太陽光発電装置の製造治具および太陽光発電装置の製造装置に関する。本出願は、２０１８年５月１５日に出願した日本特許出願である特願２０１８−０９３５８１号に基づく優先権を主張する。当該日本特許出願に記載された全ての記載内容は、参照によって本明細書に援用される。
【背景技術】
【０００２】
特開２０１７−２２８３８号公報には、集光型太陽光発電装置が記載されている。上記集光型太陽光発電装置においては、化合物半導体素子を発電素子として用い、フレネルレンズで集光させた太陽光を当該発電素子に入射させることにより発電を行っている。
【先行技術文献】
【特許文献】
【０００３】
【特許文献１】特開２０１７−２２８３８号公報
【発明の概要】
【０００４】
本開示の一態様に係る太陽光発電装置の製造方法は以下の工程を備えている。複数の太陽電池モジュールを長手方向に延在する固定部材に取り付けることにより、太陽電池アレイが形成される。太陽電池アレイがサポートアームに取り付けられる。
【０００５】
本開示の一態様に係る太陽光発電装置の製造治具は、長手方向に延在する一対の固定部材を有する太陽電池アレイを保持するための太陽光発電装置の製造治具であって、一対の取付け部と、中央領域とを備えている。一対の取付け部は、一対の固定部材が取り付けられる部分である。中央領域は、一対の取付け部の間に設けられている。中央領域には、挿通孔が設けられている。
【図面の簡単な説明】
【０００６】
【図１】図１は、本実施形態に係る太陽光発電装置の構成を示す斜視模式図である。
【図２】図２は、本実施形態に係る太陽光発電装置の製造方法を概略的に示すフロー図である。
【図３】図３は、本実施形態に係る太陽光発電装置の製造方法の第１工程を示す正面模式図である。
【図４】図４は、本実施形態に係る太陽光発電装置の製造方法の第１工程を示す平面模式図である。
【図５】図５は、本実施形態に係る太陽光発電装置の製造方法の第２工程を示す正面模式図である。
【図６】図６は、本実施形態に係る太陽光発電装置の製造方法の第２工程を示す平面模式図である。
【図７】図７は、本実施形態に係る太陽光発電装置のレールの構成を示す断面模式図である。
【図８】図８は、本実施形態に係る太陽光発電装置の製造方法の第２工程を示す側面模式図である。
【図９】図９は、本実施形態に係る太陽光発電装置の製造治具の構成を示す斜視模式図である。
【図１０】図１０は、図９のＸ−Ｘ線に沿った断面模式図である。
【図１１】図１１は、太陽光発電装置の製造治具をレールに取り付けた状態を示す斜視模式図である。
【図１２】図１２は、本実施形態に係る太陽光発電装置の製造方法の第３工程を示す側面模式図である。
【図１３】図１３は、本実施形態に係る太陽光発電装置の製造方法の第３工程を示す正面模式図である。
【図１４】図１４は、本実施形態に係る太陽光発電装置の製造装置のリフトの構成を示す正面模式図である。
【図１５】図１５は、本実施形態に係る太陽光発電装置の製造方法の第４工程を示す正面模式図である。
【図１６】図１６は、本実施形態に係る太陽光発電装置の製造方法の第５工程を示す正面模式図である。
【図１７】図１７は、本実施形態に係る太陽光発電装置の製造方法の第６工程を示す正面模式図である。
【図１８】図１８は、本実施形態に係る太陽光発電装置の製造方法の第７工程を示す正面模式図である。
【図１９】図１９は、本実施形態に係る太陽光発電装置のレールの変形例の構成を示す断面模式図である。
【発明を実施するための形態】
【０００７】
[本開示が解決しようとする課題]
集光型太陽光発電装置の組み立ては一般的に以下のような手順で行われる。まず、太陽電池モジュールを固定するためのレールが追尾架台のサポートアームに取付けられる。この際、太陽電池モジュール取付け面のレベル（水平度）の調整が必要である。たとえばサポートアームと太陽電池モジュール固定用レールとの間にレベル調整用スペーサーを挿入することにより、太陽電池モジュール取付け面のレベルの調整が行われる。
【０００８】
太陽電池モジュールは、太陽電池モジュールの底部において太陽電池モジュール固定用レールに取り付けられる。そのため、作業員が太陽電池モジュールの下側に入った状態で、上方を向きながら太陽電池モジュール固定用レールと太陽電池モジュールとの固定作業を行う必要がある。また太陽電池モジュールの固定作業位置は、地上１メートル前後である。そのため、太陽電池モジュール固定用レールと太陽電池モジュールとの固定作業の作業性が悪い。
【０００９】
本開示の一態様は、上記のような課題を解決するためになされたものであり、その目的は、生産性を向上可能な太陽光発電装置の製造方法、太陽光発電装置の製造治具および太陽光発電装置の製造装置を提供することである。
【００１０】
[本開示の効果]
本開示の一態様によれば、生産性を向上可能な太陽光発電装置の製造方法、太陽光発電装置の製造治具および太陽光発電装置の製造装置を提供することができる。
【００１１】
［本開示の実施形態の概要］
まず、本開示の実施形態の概要について説明する。
【００１２】
（１）本開示の一態様に係る太陽光発電装置１００の製造方法は以下の工程を備えている。複数の太陽電池モジュール１０を長手方向に延在する固定部材２０に取り付けることにより、太陽電池アレイ１が形成される。太陽電池アレイ１がサポートアーム２に取り付けられる。施工環境が安定している工場等において太陽電池アレイ１を先に準備することにより、環境や天候による施工効率に対する悪影響を最小限に抑えることができる。結果として、太陽光発電装置１００の生産性が向上する。
【００１３】
（２）上記（１）に係る太陽光発電装置１００の製造方法において、太陽電池アレイ１を形成する工程は、複数の太陽電池モジュール１０の各々の底面１１を上方に向けて配置する工程と、底面１１に固定部材２０を配置する工程とを含んでいてもよい。これにより、複数の太陽電池モジュール１０の各々と固定部材２０との固定作業を、複数の太陽電池モジュール１０の上側から行うことができる。そのため、下側から固定作業を行う場合と比較して、作業効率が向上する。また上側から固定作業を行うことにより、固定状態を容易に検査することができる。そのため、太陽光発電装置１００の品質を向上することができる。
【００１４】
（３）上記（２）に係る太陽光発電装置１００の製造方法によれば、複数の太陽電池モジュール１０の各々の底面１１を上方に向けて配置する工程においては、複数の太陽電池モジュール１０の各々が作業台３０に載置されてもよい。これにより、固定作業効率をさらに向上することができる。また複数の太陽電池モジュール１０の各々が底面１１を上に向けて作業台３０に載置されることで、上方から底面１１に固定部材２０を取り付けることができるため、取り付け作業効率が向上する。
【００１５】
（４）上記（３）に係る太陽光発電装置１００の製造方法によれば、作業台３０は、平面状の載置面３１を有していてもよい。複数の太陽電池モジュール１０の各々は、底面１１と反対側の上面１２を有していてもよい。上面１２は、載置面３１に接していてもよい。これにより、複数の太陽電池モジュール１０の各々の水平度を容易に向上することができる。そのため、複数の太陽電池モジュール１０の各々と固定部材２０との間にレベル調整用スペーサーを挿入する必要性を低減することができる。結果として、太陽光発電装置１００の生産性を向上することができる。
【００１６】
（５）上記（１）〜（４）のいずれかに係る太陽光発電装置１００の製造方法は、固定部材２０に治具５０を取り付ける工程と、太陽電池アレイ１を治具５０とともに反転させる工程と、治具５０の挿通孔５４にリフター７０のシャフト７３が挿通する工程とをさら備えていてもよい。太陽電池アレイ１を治具５０とともに反転させる工程においては、シャフト７３を回転軸として太陽電池モジュール１０を反転させてもよい。これにより、重い太陽電池アレイ１を容易に反転させることができる。
【００１７】
（６）上記（５）に係る太陽光発電装置１００の製造方法は、リフター７０を用いて太陽電池アレイ１を支持した状態で、太陽電池アレイ１を搬送する工程をさらに備えていてもよい。これにより、重い太陽電池アレイ１を容易に搬送することができる。
【００１８】
（７）上記（５）または（６）に係る太陽光発電装置１００の製造方法は、リフター７０を用いて太陽電池アレイ１を支持した状態で、太陽電池アレイ１の高さを調整する工程をさらに備えていてもよい。これにより、重い太陽電池アレイ１を安定した状態で搬送することができる。
【００１９】
（８）上記（７）に係る太陽光発電装置１００の製造方法において、太陽電池アレイ１の高さを調整する工程は、太陽電池アレイ１を搬送する工程の前に行われてもよい。これにより、太陽電池アレイ１の高さを、太陽電池アレイ１の搬送に適した高さに調整することができる。
【００２０】
（９）上記（８）に係る太陽光発電装置１００の製造方法によれば、太陽電池アレイ１を搬送する工程における太陽電池アレイ１の高さは、太陽電池アレイ１を反転させる工程における太陽電池アレイ１の高さよりも低くてもよい。太陽電池アレイ１の高さを低く維持することにより、太陽電池アレイ１を安定な状態で搬送することができる。
【００２１】
（１０）上記（１）〜（９）のいずれかに係る太陽光発電装置１００の製造方法は、固定部材２０の断面形状は、Ｚ型であってもよい。これにより、固定部材２０の強度を高くすることができる。結果として、固定部材２０がたわむことを抑制することができる。そのため、複数の太陽電池モジュール１０の各々の水平度を向上することができる。
【００２２】
（１１）本開示の一態様に係る太陽光発電装置１００の製造治具５０は、長手方向に延在する一対の固定部材２０を有する太陽電池アレイ１を保持するための太陽光発電装置１００の製造治具５０であって、一対の取付け部５２と、中央領域５１とを備えている。一対の取付け部５２は、一対の固定部材２０が取り付けられる部分である。中央領域５１は、一対の取付け部５２の間に設けられている。中央領域５１には、挿通孔５４が設けられている。これにより、太陽電池アレイ１を容易に反転することができる。結果として、太陽光発電装置１００の生産性を向上することができる。
【００２３】
（１２）上記（１１）に係る太陽光発電装置１００の製造治具５０においては、中央領域５１の厚みは、一対の取付け部５２の各々の厚みよりも大きくてもよい。これにより、太陽光発電装置１００の製造治具５０の剛性を高めることができる。
【００２４】
（１３）上記（１１）または（１２）に係る太陽光発電装置１００の製造治具５０においては、一対の取付け部５２の各々は、一対の固定部材２０に接する第１面５２ａと、第１面５２ａと反対側の第２面５２ｂとを含んでいてもよい。第２面５２ｂには、中央領域５１に連なる突出部５３が設けられていてもよい。これにより、太陽光発電装置１００の製造治具５０の剛性をさらに高めることができる。
【００２５】
（１４）本開示の一態様に係る太陽光発電装置１００の製造装置は、上記（１１）〜（１３）のいずれかに記載の太陽光発電装置１００の製造治具５０と、挿通孔５４に挿通可能なシャフト７３を有するリフター７０とを備えている。リフター７０は、タイヤ７５を有する。一般的なリフター７０の場合には、金属製のキャスタが使用されている。金属製のキャスタの場合には、たとえば砂漠のような未舗装の地面上をリフター７０が移動する際、砂がキャスタに噛み込まれ、スムーズに移動することが困難である。一方、キャスタの代わりにタイヤ７５を使用する場合には、砂漠のような未舗装の地面であってもリフター７０を容易に移動させることができる。
【００２６】
［本開示の実施形態の詳細］
以下、図面に基づいて本開示の実施形態の詳細について説明する。なお、以下の図面において同一または相当する部分には同一の参照番号を付し、その説明は繰返さない。
【００２７】
（太陽光発電装置）
まず、本実施形態に係る太陽光発電装置１００の構成について説明する。
【００２８】
図１に示されるように、本実施形態に係る太陽光発電装置１００は、集光型太陽光発電装置であり、支柱３と、回転シャフト４と、太陽電池アレイ１と、サポートアーム２と、駆動部５と、締結部６を主に有している。太陽電池アレイ１は、複数の太陽電池モジュール１０と、一対のレール２０（一対の長手方向に延在する固定部材２０）とを有している。１つの太陽電池アレイ１が有する太陽電池モジュール１０の数は、特に限定されないが、たとえば８個である。太陽電池モジュール１０は、回転シャフト４と平行な方向に配列されている。一対のレール２０は、回転シャフト４の延在方向と平行な方向に延在している。一対のレール２０は、複数の太陽電池モジュール１０の各々の底面１１に取り付けられている。複数の太陽電池アレイ１は、太陽電池アレイ集合体９を構成する。
【００２９】
サポートアーム２は、複数の太陽電池アレイ１を支持するための支持体である。サポートアーム２は、締結部６によって回転シャフト４に取り付けられている。サポートアーム２の延在方向は、回転シャフト４の延在方向に対して交差する方向である。サポートアーム２の数は、特に限定されないが、たとえば６本である。サポートアーム２は、たとえば支柱３に対して一方側に配置されている太陽電池アレイ集合体９に３本設けられ、かつ支柱３に対して他方側に配置されている太陽電池アレイ集合体９に３本設けられている。３本のサポートアーム２の各々の端部には、回転シャフト４の延在方向に平行な方向に延在する連結部７が設けられていてもよい。
【００３０】
太陽電池アレイ集合体９は、２軸で回転可能に構成されている。具体的には、太陽電池アレイ集合体９は、支柱３の延在方向に沿った第１回転軸Ａの周りに回転可能に構成されている。太陽電池アレイ集合体９が第１回転軸Ａの周りに回転することで、太陽電池アレイ集合体９は方位角方向に回転する。また太陽電池アレイ集合体９は、回転シャフト４の延在方向に沿った第２回転軸Ｂの周りに回転可能に構成されている。太陽電池アレイ集合体９が第２回転軸Ｂの周りに回転することで、太陽電池アレイ集合体９は仰角方向に回転する。以上のように、太陽電池アレイ集合体９は、太陽の動きを追尾して移動することができる。具体的には、太陽電池アレイ集合体９は、太陽に対向する角度を維持するように太陽の動きに従って可動することができる。
【００３１】
（太陽光発電装置の製造方法）
次に、本実施形態に係る太陽光発電装置１００の製造方法について説明する。
【００３２】
図２に示されるように、本実施形態に係る太陽光発電装置１００の製造方法は、太陽電池アレイを形成する工程（Ｓ１０）と、太陽電池アレイを反転する工程（Ｓ２０）と、太陽電池アレイをサポートアームに取り付ける工程（Ｓ３０）とを主に有している。
【００３３】
まず、太陽電池アレイ１を形成する工程（Ｓ１０）が実施される。具体的には、複数の太陽電池モジュール１０の各々が作業台３０に載置される。作業台３０の高さは、たとえば０．７ｍ以上１．０ｍ以下程度である。これにより、作業者が立った状態で行う作業の効率が向上する。図３に示されるように、作業台３０は、上板３２と、支持部３３とを主に有している。支持部３３は、上板３２を支持している。上板３２は、平面状の載置面３１を有している。複数の太陽電池モジュール１０の各々は、上面１２と、底面１１と、側面１３とを有している。上面１２には、たとえば集光型太陽電池モジュール（図示せず）が配置されている。集光型太陽電池モジュールは、たとえばフレネルレンズ（図示せず）を含んでいる。底面１１は、上面１２とは反対側の面である。底面１１には、たとえば発電素子（図示せず）が配置されている。
【００３４】
図３に示されるように、複数の太陽電池モジュール１０の各々は、底面１１を上方Ｚに向けて配置される。上方とは、鉛直上方に対して±１°以内の方向である。別の観点から言えば、複数の太陽電池モジュール１０の各々は、上面１２が載置面３１に対向するように配置される。さらに別の観点から言えば、複数の太陽電池モジュール１０の各々の上面１２は、下方に向けて配置される。下方とは、鉛直下方に対して±１°以内の方向である。複数の太陽電池モジュール１０の各々の上面１２は、載置面３１に接していてもよい。太陽電池モジュール１０の数は、特に限定されないが、たとえば８個である。
【００３５】
図４に示されるように、複数の太陽電池モジュール１０の各々は、平面視（鉛直方向から見て）において略長方形の形状を有している。複数の太陽電池モジュール１０の各々は、第１方向Ｘに延在する短辺と、第２方向Ｙに延在する長辺とを有する。第２方向Ｙは、第１方向Ｘに対して垂直である。図４に示されるように、複数の太陽電池モジュール１０の各々は、第１方向Ｘに配列される。別の観点から言えば、複数の太陽電池モジュール１０の各々は、太陽電池モジュール１０の短辺方向に配列される。隣り合う２つの太陽電池モジュール１０は、互いに接していてもよい。
【００３６】
図４に示されるように、載置面３１は、第１方向Ｘおよび第２方向Ｙの各々において延在している。平面視において、載置面３１は、たとえば長方形である。第１方向Ｘは、載置面３１の長手方向である。載置面３１の長手方向に沿って、複数の太陽電池モジュール１０の各々が配列される。上板３２は、一体形成された一枚板であることが望ましい。具体的には、上板３２は、無垢材により構成されていることが望ましい。これにより、２つの作業台３０を並べて配置する場合と比較して、載置面３１をより平坦にすることができる。
【００３７】
次に、複数の太陽電池モジュール１０にレール２０が取り付けられる。図５および図６に示されるように、複数の太陽電池モジュール１０の各々の底面１１にレール２０が配置される。レール２０は、一方側レール２１と他方側レール２２とを有している。一方側レール２１および他方側レール２２の各々の長手方向は、第１方向Ｘである。別の観点から言えば、一方側レール２１および他方側レール２２の各々は、太陽電池モジュール１０の短辺方向に沿って配置される。一方側レール２１の延在方向は、他方側レール２２の延在方向と平行である。
【００３８】
たとえば８個の太陽電池モジュール１０を載置面３１上に配置した後に、８個の太陽電池モジュール１０にレール２０が取り付けられてもよいし、両側の２個の太陽電池モジュール１０を載置面３１上に配置した後に、両側の２個の太陽電池モジュール１０にレール２０を取付け、その後、残り６個の太陽電池モジュール１０をレール２０に取り付けてもよい。このような手順で取り付けることにより、複数の太陽電池モジュール１０の位置ずれを低減することができる。また一方側レール２１と他方側レール２２との間を繋ぐようにトラス材（図示せず）が用いられてもよい。
【００３９】
図７に示されるように、レール２０の断面形状は、たとえばＺ型である。具体的には、レール２０は、第１レール部６１と、第２レール部６２と、第３レール部６３とを有している。第１レール部６１は、第２レール部６２の一方側端部に連なっている。第３レール部６３は、第２レール部６２の他方側端部に連なっている。第２レール部６２は、第１レール部６１と第３レール部６３との間に位置している。第２レール部６２から見て、第１レール部６１は一方側に突出しており、第３レール部６３は他方側に突出している。別の観点から言えば、第２レール部６２から見て、第１レール部６１は、第３レール部６３とは反対側に突出している。
【００４０】
図７に示されるように、断面視において、第１レール部６１は、第２レール部６２に対してほぼ垂直に延在している。同様に、第３レール部６３は、第２レール部６２に対してほぼ垂直に延在している。断面視において、第１レール部６１と第２レール部６２とがなす角度θ１は、９０°未満であってもよいし、９０°以上であってもよい。断面視において、第２レール部６２と第３レール部６３とがなす角度θ２は、９０°未満であってもよいし、９０°以上であってもよい。第１レール部６１には、第１貫通孔６４が設けられていてもよい。同様に、第３レール部６３には、第２貫通孔６５が設けられていてもよい。第１貫通孔６４および第２貫通孔６５の各々には、後述するボルトまたはリベットが挿入される。
【００４１】
次に、レール２０が固定部４０により複数の太陽電池モジュール１０の各々に取り付けられる。固定部４０は、たとえば第１固定部材４１と、第２固定部材４２とを有している。固定部４０は、レール２０を複数の太陽電池モジュール１０の各々に固定できるものであれば特に限定されないが、たとえばボルトまたはリベットである。図８に示されるように、一方側レール２１は、複数の太陽電池モジュール１０の各々の底面１１の第２方向Ｙにおける一方側の端部に配置される。一方側レール２１は、第１固定部材４１を用いて、複数の太陽電池モジュール１０の各々の底面１１に固定される。他方側レール２２は、複数の太陽電池モジュール１０の各々の底面１１の第２方向Ｙにおける他方側の端部に配置される。他方側レール２２は、第２固定部材４２を用いて、複数の太陽電池モジュール１０の各々の底面１１に固定される。以上により、太陽電池アレイ１が形成される（図８参照）。太陽電池アレイ１の重量は、たとえば１００ｋｇである。
【００４２】
次に、本実施形態に係る太陽光発電装置１００の製造治具５０について説明する。
本実施形態に係る太陽光発電装置１００の製造治具５０は、一対のレール２０を有する太陽電池アレイ１を保持するための太陽光発電装置１００の製造治具５０である。図９に示されるように、本実施形態に係る太陽光発電装置１００の製造治具５０は、一対のレール取付け部５２（一対の取付け部５２）と、中央領域５１とを有している。一対のレール取付け部５２は、一対のレール２０が取り付けられる部分である。中央領域５１は、一対のレール取付け部５２の間に設けられている。つまり、中央領域５１は、一対のレール取付け部５２によって挟まれている。中央領域５１には、挿通孔５４が設けられている。挿通孔５４の断面形状は、円形である。製造治具５０の材料は、特に限定されないが、たとえばアルミニウムまたはステンレスである。
【００４３】
図１０は、図９のＸ−Ｘ線に沿った断面模式図である。図１０に示されるように、中央領域５１の厚みＴ１は、一対のレール取付け部５２の各々の厚みＴ２よりも大きい。一対のレール取付け部５２の各々は、第１面５２ａと、第２面５２ｂとを有している。第１面５２ａは、一対のレール２０に接する面である。第２面５２ｂは、第１面５２ａと反対側の面である。第１面５２ａには、取付孔５５が設けられている。取付孔５５の数は、特に限定されないが、たとえば４個である。取付孔５５は、一対のレール取付け部５２の各々において２個ずつ設けられている。第２面５２ｂには、突出部５３が設けられている。突出部５３は、中央領域５１に連なっている。
【００４４】
次に、レール２０に治具５０を取り付ける工程が実施される。まず、製造治具５０が、レール２０上に配置される。図１１に示されるように、製造治具５０は、レール２０の第１レール部６１に接するように配置される。レール２０は、製造治具５０の一対のレール取付け部５２に接する。図１２に示されるように、中央領域５１の一部は、一対のレール２０の間に配置される。中央領域５１は、太陽電池モジュール１０から離間している。一対のレール取付け部５２の各々の第１面５２ａは、太陽電池モジュール１０の底面１１に対向している。たとえばボルトまたはリベットなどの固定部９０を用いて、製造治具５０がレール２０に固定される。固定部９０は、たとえば第３固定部材９１と、第４固定部材９２とを有している。一方側レール２１は、第３固定部材９１を用いて、一対のレール取付け部５２の一方側に取り付けられる。他方側レール２２は、第４固定部材９２を用いて、一対のレール取付け部５２の他方側に取り付けられる。
【００４５】
図１３に示されるように、製造治具５０は、レール２０の両端に取り付けられる。具体的には、製造治具５０は、第１方向Ｘにおけるレール２０の一方端と、第１方向Ｘにおけるレール２０の他方端とに取り付けられる。一対の製造治具５０の各々は、互いに対向している。
【００４６】
次に、本実施形態に係る太陽光発電装置の製造装置の構成について説明する。本実施形態に係る太陽光発電装置１００の製造装置８０は、リフター７０と、製造治具５０とを有している。図１４に示されるように、リフター７０は、支持部７１と、可動部７２と、シャフト７３と、台部７４と、タイヤ７５とを主に有している。可動部７２は、支持部７１に取り付けられている。可動部７２は、上下方向に移動することができる。シャフト７３は、可動部７２に取り付けられている。シャフト７３は、可動部７２とともに上下方向に移動することができる。シャフト７３は、製造治具５０の挿通孔５４に挿通可能である。支持部７１は、台部７４に取り付けられている。台部７４には、タイヤ７５が取り付けられている。タイヤ７５は、ゴム製である。タイヤ７５の数は、特に限定されないが、たとえば前方に２個、後方に２個（合計４個）設けられている。
【００４７】
図１５に示されるように、２台のリフター７０が準備される。一方のリフター７０は、レール２０の一端側に配置される。他方のリフター７０は、レール２０の他端側に配置される。２台のリフター７０のシャフト７３の各々が、対応する製造治具５０の挿通孔５４に挿入される。次に、シャフト７３が上方に移動する。これにより、太陽電池アレイ１が、リフター７０によって持ち上げられる。別の観点から言えば、複数の太陽電池モジュール１０は、作業台３０の載置面３１から離間する。
【００４８】
次に、太陽電池アレイを反転する工程（Ｓ２０）が実施される。具体的には、太陽電池アレイ１は、製造治具５０とともに反転する。太陽電池アレイ１は、シャフト７３を回転軸として反転する。太陽電池アレイ１は、約１８０°回転する。回転方向Ｒ（図１１参照）は、時計回りであってもよいし、反時計回りであってもよい。作業員が太陽電池アレイ１に対して回転力を付与することで、太陽電池アレイ１が反転してもよい。これにより、複数の太陽電池モジュール１０の各々の上面１２が上方Ｚを向き、かつ底面１１が下方を向く（図１６）。
【００４９】
次に、太陽電池アレイ１を搬送する工程が実施される。具体的には、リフター７０を用いて太陽電池アレイ１を支持した状態で、太陽電池アレイ１が搬送される。太陽電池アレイ１を搬送する前に、太陽電池アレイ１の高さが調整されてもよい。具体的には、リフター７０を用いて太陽電池アレイ１を支持した状態で、太陽電池アレイ１の高さが調整される。可動部７２によってシャフト７３の高さを変化させることにより、太陽電池アレイ１の高さが調整される。図１７に示されるように、太陽電池アレイ１を搬送する工程においては、太陽電池アレイ１を反転させる工程よりも、太陽電池アレイ１の高さが低くてもよい。太陽電池アレイ１の高さを低く維持することにより、太陽電池アレイ１を安定な状態で搬送することができる。
【００５０】
次に、太陽電池アレイをサポートアームに取り付ける工程（Ｓ３０）が実施される。図１８に示されるように、サポートアーム２の断面形状は、たとえばＨ型またはＩ型である。サポートアーム２は、ウェブ８１と、一対のフランジ８２とを有している。一対のフランジ８２の一方は、ウェブ８１の一端に取り付けられている。一対のフランジ８２の他方は、ウェブ８１の他端に取り付けられている。
【００５１】
図１８に示されるように、太陽電池アレイ１は、サポートアーム２の一対のフランジ８２の一方に接するように配置される。サポートアーム２の延在方法は、太陽電池アレイ１のレール２０の延在方向に対して直交している。太陽電池アレイ１のレール２０が、サポートアーム２の一対のフランジ８２の一方に取り付けられる。
【００５２】
次に、レール２０の変形例の構成について説明する。
図１９に示されるように、レール２０の断面形状は、たとえばＬ型であってもよい。具体的には、レール２０は、第４レール部６６と、第５レール部６７とを有している。第４レール部６６は、第５レール部６７に連なっている。断面視において、第４レール部６６と第５レール部６７とがなす角度θ３は、たとえば９０°以上であってもよい。第４レール部６６には、第３貫通孔６８が設けられていてもよい。第３貫通孔６８には、ボルトまたはリベットが挿入される。第４レール部６６が太陽電池モジュール１０の底面１１に接し、かつ第５レール部６７が太陽電池モジュール１０の側面１３に接するように、レール２０が太陽電池モジュール１０に取り付けられてもよい。
【００５３】
次に、本実施形態に係る太陽光発電装置１００の作用効果について説明する。
本実施形態に係る太陽光発電装置１００においては、複数の太陽電池モジュール１０を固定部材２０に取り付けることにより、太陽電池アレイ１が形成される。太陽電池アレイ１がサポートアーム２に取り付けられる。施工環境が安定している工場等において太陽電池アレイ１を先に準備することにより、環境や天候による施工効率に対する悪影響を最小限に抑えることができる。結果として、太陽光発電装置１００の生産性が向上する。
【００５４】
また本実施形態に係る太陽光発電装置１００においては、太陽電池アレイ１を形成する工程は、複数の太陽電池モジュール１０の各々の底面１１を上方Ｚに向けて配置する工程と、底面１１に固定部材２０を配置する工程とを含んでいる。これにより、複数の太陽電池モジュール１０の各々と固定部材２０との固定作業を、複数の太陽電池モジュール１０の上側から行うことができる。そのため、下側から固定作業を行う場合と比較して、作業効率が向上する。また上側から固定作業を行うことにより、固定状態を容易に検査することができる。そのため、太陽光発電装置１００の品質を向上することができる。
【００５５】
さらに本実施形態に係る太陽光発電装置１００によれば、複数の太陽電池モジュール１０の各々の底面１１を上方Ｚに向けて配置する工程においては、複数の太陽電池モジュール１０の各々が作業台３０に載置される。これにより、固定作業効率をさらに向上することができる。また複数の太陽電池モジュール１０の各々が底面１１を上に向けて作業台３０に載置されることで、上方から底面１１に固定部材２０を取り付けることができるため、取り付け作業効率が向上する。
【００５６】
さらに本実施形態に係る太陽光発電装置１００によれば、作業台３０は、平面状の載置面３１を有している。底面１１と反対側の上面１２は、載置面３１に接している。これにより、複数の太陽電池モジュール１０の各々の水平度を容易に向上することができる。そのため、複数の太陽電池モジュール１０の各々と固定部材２０との間にレベル調整用スペーサーを挿入する必要性を低減することができる。結果として、太陽光発電装置１００の生産性を向上することができる。
【００５７】
さらに本実施形態に係る太陽光発電装置１００は、固定部材２０に治具５０を取り付ける工程と、太陽電池アレイ１を治具５０とともに反転させる工程と、治具５０の挿通孔５４にリフター７０のシャフト７３が挿通される。太陽電池アレイ１を治具５０とともに反転させる工程においては、シャフト７３を回転軸として太陽電池モジュール１０を反転させる。これにより、重い太陽電池アレイ１を容易に反転させることができる。
【００５８】
さらに本実施形態に係る太陽光発電装置１００は、リフター７０を用いて太陽電池アレイ１を支持した状態で、太陽電池アレイ１を搬送する工程をさらに有している。これにより、重い太陽電池アレイ１を容易に搬送することができる。
【００５９】
さらに本実施形態に係る太陽光発電装置１００は、リフター７０を用いて太陽電池アレイ１を支持した状態で、太陽電池アレイ１の高さを調整する工程をさらに有している。これにより、重い太陽電池アレイ１を安定した状態で搬送することができる。
【００６０】
さらに本実施形態に係る太陽光発電装置１００においては、固定部材２０の断面形状は、Ｚ型である。これにより、固定部材２０の強度を高くすることができる。結果として、固定部材２０がたわむことを抑制することができる。そのため、複数の太陽電池モジュール１０の各々の水平度を向上することができる。
【００６１】
本実施形態に係る太陽光発電装置１００の製造治具５０は、一対の固定部材２０を有する太陽電池アレイ１を保持するための太陽光発電装置１００の製造治具５０であって、一対の取付け部５２と、中央領域５１とを有している。一対の取付け部５２は、一対の固定部材２０が取り付けられる部分である。中央領域５１は、一対の取付け部５２の間に設けられている。中央領域５１には、挿通孔５４が設けられている。これにより、太陽電池アレイ１を容易に反転することができる。結果として、太陽光発電装置１００の生産性を向上することができる。
【００６２】
また本実施形態に係る太陽光発電装置１００の製造治具５０においては、中央領域５１の厚みは、一対の取付け部５２の各々の厚みよりも大きい。これにより、太陽光発電装置１００の製造治具５０の剛性を高めることができる。
【００６３】
さらに本実施形態に係る太陽光発電装置１００の製造治具５０においては、一対の取付け部５２の各々は、一対の固定部材２０に接する第１面５２ａと、第１面５２ａと反対側の第２面５２ｂとを含んでいる。第２面５２ｂには、中央領域５１に連なる突出部５３が設けられている。これにより、太陽光発電装置１００の製造治具５０の剛性をさらに高めることができる。
【００６４】
本実施形態に係る太陽光発電装置１００の製造装置は、太陽光発電装置１００の製造治具５０と、挿通孔５４に挿通可能なシャフト７３を有するリフター７０とを有している。リフター７０は、タイヤ７５を有する。一般的なリフター７０の場合には、金属製のキャスタが使用されている。金属製のキャスタの場合には、たとえば砂漠のような未舗装の地面上をリフター７０が移動する際、砂がキャスタに噛み込まれ、スムーズに移動することが困難である。一方、キャスタの代わりにタイヤ７５を使用する場合には、砂漠のような未舗装の地面であってもリフター７０を容易に移動させることができる。
【００６５】
今回開示された実施の形態はすべての点で例示であって、制限的なものではないと考えられるべきである。本発明の範囲は上記した説明ではなくて請求の範囲によって示され、請求の範囲と均等の意味、および範囲内でのすべての変更が含まれることが意図される。
【符号の説明】
【００６６】
１  太陽電池アレイ、２  サポートアーム、３  支柱、４  回転シャフト、５  駆動部、６  締結部、７  連結部、９  太陽電池アレイ集合体、１０  太陽電池モジュール、１１  底面、１２  上面、１３  側面、２０  レール（固定部材）、２１  一方側レール、２２  他方側レール、３０  作業台、３１  載置面、３２  上板、３３，７１  支持部、４０，９０  固定部、４１  第１固定部材、４２  第２固定部材、５０  治具（製造治具）、５１  中央領域、５２  レール取付け部（取付け部）、５２ａ  第１面、５２ｂ  第２面、５３  突出部、５４  挿通孔、５５  取付孔、６１  第１レール部、６２  第２レール部、６３  第３レール部、６４  第１貫通孔、６５  第２貫通孔、６６  第４レール部、６７  第５レール部、６８  第３貫通孔、７０  リフター、７２  可動部、７３  シャフト、７４  台部、７５  タイヤ、８０  製造装置、８１  ウェブ、８２  フランジ、９１  第３固定部材、９２  第４固定部材、１００  太陽光発電装置、Ａ  第１回転軸、Ｂ  第２回転軸、Ｔ１，Ｔ２  厚み、Ｘ  第１方向、Ｙ  第２方向、Ｚ  上方。
【図１】
2019220992.tif 000003
【図２】
2019220992.tif 000004
【図３】
2019220992.tif 000005
【図４】
2019220992.tif 000006
【図５】
2019220992.tif 000007
【図６】
2019220992.tif 000008
【図７】
2019220992.tif 000009
【図８】
2019220992.tif 000010
【図９】
2019220992.tif 000011
【図１０】
2019220992.tif 000012
【図１１】
2019220992.tif 000013
【図１２】
2019220992.tif 000014
【図１３】
2019220992.tif 000015
【図１４】
2019220992.tif 000016
【図１５】
2019220992.tif 000017
【図１６】
2019220992.tif 000018
【図１７】
2019220992.tif 000019
【図１８】
2019220992.tif 000020
【図１９】
2019220992.tif 000021
【国際調査報告】
2019220992.tif 000022
2019220992.tif 000023
2019220992.tif 000024
2019220992.tif 000025